(57)【要約】【課題】増幅装置において、聴取者が手動で各チャンネルの出力信号の周波数特性を変更した場合、音圧レベルが一定にならず聴取者が周波数特性の調整を正確に行えない。【解決手段】増幅装置において、予め設定された周波数特性の測定用信号をスピーカから出力させ、マイクロフォンが収音した収音信号に基づいて出力信号の周波数特性を求め、出力信号の周波数特性を変更した場合、予め設定された周波数特性の出力信号の可聴帯域の音圧レベルを演算により求め、周波数特性変更後の出力信号の可聴帯域の音圧レベルを演算により求め、前記周波数特性変更後の出力信号の音圧レベルを前記予め設定された周波数特性の出力信号の音圧レベルに補正する。【選択図】      図１
2005318521.tif 000002
【特許請求の範囲】
【請求項１】
スピーカに出力する出力信号の周波数特性を調整することが可能な増幅装置において、スピーカから出力された信号の周波数特性を測定するための測定用信号を発生する測定用信号発生部と、前記測定用信号をスピーカに出力する出力部と、マイクロフォンにより収音された収音信号が入力される収音信号入力部と、前記収音信号入力部に入力された収音信号に基づいて前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記収音信号入力部に入力される収音信号に基づいて前記出力部から出力された出力信号の可聴帯域における音圧レベルを演算により求め、前記操作部により周波数特性が変更された後に前記出力部から出力される出力信号の可聴帯域における音圧レベルを演算により求め、前記周波数特性変更後の出力信号の可聴帯域における音圧レベルを前記操作部による周波数特性変更前の出力信号の可聴帯域における音圧レベルに補正することを特徴とする増幅装置。
【請求項２】
請求項１記載の増幅装置において、前記信号処理部は、周波数特性の可聴帯域をＣ−ｗｅｉｇｈｔｅｄ特性を用いて演算により求めることを特徴とする増幅装置。
【請求項３】
スピーカに出力する出力信号の周波数特性を調整することが可能な増幅装置において、スピーカから出力された信号の周波数特性を測定するための測定用信号を発生する測定用信号発生部と、マイクロフォンにより収音された収音信号が入力される収音信号入力部と、前記測定用信号を出力する出力部と、前記収音信号入力部に入力された収音信号に基づいて前記出力部から出力された出力信号の周波数特性を求めると共に前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記収音信号入力部に入力される収音信号に基づいて前記出力部から出力された出力信号の可聴帯域における予め定めた周波数以上の帯域の音圧レベルを演算により求め、前記操作部により周波数特性が変更された後に前記出力部から出力される出力信号の可聴帯域における予め定めた周波数以上の帯域の音圧レベルを演算により求め、前記周波数特性変更後の出力信号の可聴帯域における音圧レベルを前記操作部による周波数特性変更前の出力信号の可聴帯域における音圧レベルに補正することを特徴とする増幅装置。
【請求項４】
スピーカに出力する出力信号の周波数特性を調整することが可能な増幅装置において、スピーカから出力された信号の周波数特性を測定するための測定用信号を発生する測定用信号発生部と、マイクロフォンにより収音された収音信号が入力される収音信号入力部と、前記測定用信号を出力する出力部と、前記収音信号入力部に入力された収音信号に基づいて前記出力部から出力された出力信号の周波数特性を求めると共に前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記出力部からフィルタにより周波数帯域が制限された出力信号が出力される場合に前記収音信号入力部に入力される収音信号に基づいて前記出力部から出力される出力信号の可聴帯域における前記フィルタにより制限された周波数帯域の音圧レベルを演算により求め、前記操作部により周波数特性が変更された後に前記出力部から出力される出力信号の可聴帯域における前記フィルタにより制限された周波数帯域の音圧レベルを演算により求め、前記周波数特性変更後の出力信号の可聴帯域における音圧レベルを前記操作部による周波数特性変更前の出力信号の可聴帯域における音圧レベルに補正することを特徴とする増幅装置。
【発明の詳細な説明】
【技術分野】
【０００１】
本発明は、スピーカに出力する出力信号の周波数特性を調整することができる増幅装置に関する。
【背景技術】
【０００２】
外部機器から入力するオーディオ信号を複数チャンネルのオーディオ信号に変換し、増幅し、複数のスピーカに出力する増幅装置において、高品位な音質によりオーディオ信号を再生するには、各チャンネル間の位相、各チャンネルの出力信号のロールオフ周波数や音圧レベル、リスニングポイントとスピーカとの距離、各チャンネルの出力信号の周波数特性などの音響特性に関する各種のパラメータの値を適切な値に設定する必要がある。従来、それらのパラメータの値を聴取者が手動で設定していたが、近年、自動的にそれらのパラメータの値を設定する自動音場補正機能を備えた装置が出現してきた。
【０００３】
このような自動音場補正機能を備えた装置が特許文献１に開示されている。特許文献１に開示されている自動音場補正装置は、装置に接続された複数のスピーカから測定用信号（ホワイトノイズなど）を出力させ、それをマイクロフォンで収音し、収音したオーディオ信号に基づいて各チャンネルの出力信号の周波数特性を補正し、周波数特性を補正した後に全てのチャンネルの出力信号の音圧レベルを均一にするように音圧レベルの補正を行い、その後に各チャンネルの出力信号の遅延時間の調整を自動的に行う。
【０００４】
【特許文献１】特開２００２−３３０４９９
【発明の開示】
【発明が解決しようとする課題】
【０００５】
特許文献１に開示されている自動音場補正装置は、全てのチャンネルの出力信号の周波数特性を補正した後に、補正後の周波数特性に基づいて各チャンネルの出力信号の音圧レベルが均一になるように補正する。しかし、自動音場補正により各種パラメータの値が自動的に設定された後に、聴取者が自動設定されたパラメータの値を参照して手動で各チャンネルの出力信号の周波数特性を希望する周波数特性に調整した場合、調整を行ったチャンネルの出力信号の音圧レベルは、手動による周波数特性の調整前と調整後とで変化する。従って、自動音場補正により一旦各チャンネルの出力信号の音圧レベルを均一に補正したにも係わらず、手動により周波数特性を調整したチャンネルと周波数特性をまだ調整してないチャンネルとの間で出力信号の音圧レベルに差が生じる。
【０００６】
聴取者が、あるチャンネルの出力信号の周波数特性を希望する周波数特性に手動により調整した際、周波数特性を調整する度に当該チャンネルのオーディオ信号を出力させ、そのオーディオ信号を聴取し、調整した周波数特性が希望する周波数特性になっているかどうかを確認しようとしても、周波数特性を調整したチャンネルの出力信号の音圧レベルと周波数特性を調整してないチャンネルの出力信号の音圧レベルが異なるため、聴取者は、調整したチャンネルの出力信号の周波数特性が希望する周波数特性であるかの判断を正確に行うことが困難である。
【０００７】
また、このような場合、手動により周波数特性の調整を行う度に、調整を行ったチャンネルの出力信号の音圧レベルを補正する場合、周波数特性の調整をするのと同時に音圧レベルを手動で正確に補正することは困難であり、この補正の困難さが聴取者にとって周波数特性の調整を自由に行うことの妨げとなる。
【０００８】
また、特許文献１に開示されている自動音場補正装置におけるチャンネル間レベル調整処理を聴取者が周波数特性を調整する度に行った場合、その都度、測定用信号を各スピーカから出力させて測定を行い、各チャンネルの出力信号の音圧レベルを補正するため、１つのチャンネルの出力信号の周波数特性を調整する場合においても音圧レベルの補正に時間と手間がかかり、全てのチャンネルの出力信号の音圧レベルの補正には多大な時間を必要とするため、聴取者にとって使い勝手が悪い。
【０００９】
さらに、特許文献１に開示されている自動音場補正装置におけるチャンネル間レベル調整処理は、測定用信号としてホワイトノイズを用い、各チャンネルから発生したホワイトノイズをマイクロフォンで収音し、収音したオーディオ信号に基づいて音圧レベルの補正を行う。ホワイトノイズは、人間の可聴帯域以外の信号も含むため、当該測定用信号を用いて測定を行って得られる周波数特性は、可聴帯域以外の帯域も含む広帯域の周波数特性となる。具体的には、人間の可聴帯域は、おおよそ２０Ｈｚ〜２０ｋＨｚであるのに対し、前記測定用信号には２０Ｈｚ以下の周波数成分及び２０ｋＨｚ以上の周波数成分も含まれる。測定用信号が１Ｈｚ〜∞Ｈｚの帯域を有する信号とした場合、広帯域の周波数特性を有するスピーカの場合には、２０Ｈｚ以下の周波数成分及び２０ｋＨｚ以上の周波数成分の信号も測定用信号として出力され、マイクロフォンも広帯域の周波数特性を有する場合には、測定結果として１Ｈｚ〜∞Ｈｚの帯域の周波数特性が得られる。すなわち、周波数特性調整時に音圧レベルを求める際、スピーカが再生できる帯域以外の帯域また信号処理部のバスマネージメントにより出力を制限された帯域も含めて計算している。
【００１０】
この広帯域の周波数特性の全帯域の音圧レベルを求めた場合、その広い周波数帯域で信号レベルの高低が平均化され、当該周波数特性の全帯域の音圧レベルの平均値は、当該周波数特性の可聴帯域の音圧レベルの平均値より低くなる。この広帯域の周波数特性の音圧レベルの平均値を基準とし、周波数特性の調整後に、調整後の周波数特性の全帯域の音圧レベルの平均値を基準の音圧レベルになるように補正した場合、演算上、可聴帯域以外の帯域も含む広帯域を対象として求めた音圧レベルの平均値を一致させても、聴感上、周波数特性の調整前と調整後とで音圧レベルにレベル差を感じることがある。
【００１１】
このため、周波数特性を調整し音圧レベルを補正しても、聴取者の聴感上の音圧レベルとしては周波数特性の調整を行ってないチャンネルの音圧レベルとにレベル差を感じ、周波数特性の調整を正確に行えないことがある。
【００１２】
本発明は、聴取者が手動で各チャンネルの出力信号の周波数特性を調整する場合でも、調整中のチャンネルの周波数特性の音圧レベルを一定の音圧レベルに補正することができ、聴取者が周波数特性の調整を正確に行える増幅装置を提供することを目的とする。
【課題を解決するための手段】
【００１３】
本願の発明は、スピーカに出力する出力信号の周波数特性を調整することが可能な増幅装置において、スピーカから出力された信号の周波数特性を測定するための測定用信号を発生する測定用信号発生部と、前記測定用信号をスピーカに出力する出力部と、マイクロフォンにより収音された収音信号が入力される収音信号入力部と、前記収音信号入力部に入力された収音信号に基づいて前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記収音信号入力部に入力される収音信号に基づいて前記出力部から出力された出力信号の可聴帯域における音圧レベルを演算により求め、前記操作部により周波数特性が変更された後に前記出力部から出力される出力信号の可聴帯域における音圧レベルを演算により求め、前記周波数特性変更後の出力信号の可聴帯域における音圧レベルを前記操作部による周波数特性変更前の出力信号の可聴帯域における音圧レベルに補正することを特徴とする。
【００１４】
本願の発明は、前述した増幅装置において、前記信号処理部は、周波数特性の可聴帯域をＣ−ｗｅｉｇｈｔｅｄ特性を用いて演算により求めることを特徴とする。
【００１５】
本願の発明は、スピーカに出力する出力信号の周波数特性を調整することが可能な増幅装置において、スピーカから出力された信号の周波数特性を測定するための測定用信号を発生する測定用信号発生部と、マイクロフォンにより収音された収音信号が入力される収音信号入力部と、前記測定用信号を出力する出力部と、前記収音信号入力部に入力された収音信号に基づいて前記出力部から出力された出力信号の周波数特性を求めると共に前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記収音信号入力部に入力される収音信号に基づいて前記出力部から出力された出力信号の可聴帯域における予め定めた周波数以上の帯域の音圧レベルを演算により求め、前記操作部により周波数特性が変更された後に前記出力部から出力される出力信号の可聴帯域における予め定めた周波数以上の帯域の音圧レベルを演算により求め、前記周波数特性変更後の出力信号の可聴帯域における音圧レベルを前記操作部による周波数特性変更前の出力信号の可聴帯域における音圧レベルに補正することを特徴とする。
【００１６】
本願の発明は、スピーカに出力する出力信号の周波数特性を調整することが可能な増幅装置において、スピーカから出力された信号の周波数特性を測定するための測定用信号を発生する測定用信号発生部と、マイクロフォンにより収音された収音信号が入力される収音信号入力部と、前記測定用信号を出力する出力部と、前記収音信号入力部に入力された収音信号に基づいて前記出力部から出力された出力信号の周波数特性を求めると共に前記出力部から出力される出力信号の周波数特性を変更する信号処理部と、前記出力部から出力される出力信号の周波数特性を変更する操作ボタンを有し操作された操作ボタンに対応する指示信号を出力する操作部とを備え、前記信号処理部は、前記出力部からフィルタにより周波数帯域が制限された出力信号が出力される場合に前記収音信号入力部に入力される収音信号に基づいて前記出力部から出力される出力信号の可聴帯域における前記フィルタにより制限された周波数帯域の音圧レベルを演算により求め、前記操作部により周波数特性が変更された後に前記出力部から出力される出力信号の可聴帯域における前記フィルタにより制限された周波数帯域の音圧レベルを演算により求め、前記周波数特性変更後の出力信号の可聴帯域における音圧レベルを前記操作部による周波数特性変更前の出力信号の可聴帯域における音圧レベルに補正することを特徴とする。
【発明の効果】
【００１７】
本発明によれば、聴取者が手動で各チャンネルの出力信号の周波数特性を調整する場合でも、調整中のチャンネルの周波数特性の音圧レベルを一定の音圧レベルに補正することができ、聴取者が自由に且つ正確に周波数特性の調整を行うことができる。
【発明を実施するための最良の形態】
【００１８】
図１は、本発明の増幅装置の第１実施例の構成を示す図である。
図１において、増幅装置は、信号処理部１、出力部２、測定用信号発生部３、収音信号入力部４、操作部５、制御部６を備える。
【００１９】
信号処理部１は、外部機器から入力されるオーディオ信号に対しデコード処理や遅延処理等の信号処理を施す。デコード処理は、例えば、２チャンネルのオーディオ信号を６チャンネルのオーディオ信号に変換する処理、圧縮されたオーディオ信号を伸長する処理などである。遅延処理は、複数のスピーカからオーディオ信号を出力した際に視聴者に臨場感などを与えるため、デコードされた各チャンネルのオーディオ信号に対してそれぞれ遅延時間を加える処理である。
【００２０】
信号処理部１は、後述する制御部６の制御により、収音信号入力部４から入力される収音信号に基づいて、複数のスピーカに囲まれた空間でオーディオ信号を聴取する環境において聴取者のリスニングポイントで最適な音響効果が得られるように、各チャンネルの出力信号の周波数特性、遅延時間、音圧レベル等の音響特性の各種パラメータの値を自動的に設定する。この設定を行う動作を自動音場補正処理という。
【００２１】
信号処理部１は、メモリ１ａを備え、自動音場補正処理により設定したパラメータの値をメモリ１ａに記憶する。オーディオ信号は、聴取者により新たにパラメータの値が変更されるまでメモリ１ａに記憶された値に基づいて信号処理が施され出力される。信号処理部１は、聴取者が操作部５を操作して自動音場補正処理により設定された各種パラメータの値を変更した場合、操作部５から入力される指示信号に基づいて、メモリ１ａに記憶しているパラメータの値を変更する。
【００２２】
信号処理部１は、聴取者により各チャンネルの出力信号の周波数特性が変更された場合、周波数特性が変更される度に、すなわち、あるチャンネルの出力信号のいずれかの周波数帯域の信号レベルの増減が行われる度に、変更された値に基づいて当該チャンネルの出力信号の周波数特性における音圧レベルを演算により求め、演算により求めた音圧レベル（周波数特性変更後の音圧レベル）が自動音場補正処理で設定された当該チャンネルの出力信号の周波数特性における音圧レベル（周波数特性変更前の音圧レベル）になるように補正する。
【００２３】
なお、第１実施例において、音圧レベルは、出力信号の周波数特性の全周波数帯域における音圧レベルの平均値とするが、それに限定されず、出力信号の周波数特性の全周波数帯域における音圧レベルを合計した値であってもよい。
【００２４】
出力部２は、デジタルアナログ変換部（図示せず）、増幅部（図示せず）を備え、信号処理部１から入力される複数チャンネルのデジタルオーディオ信号をデジタルアナログ変換し、アナログ信号に変換されたオーディオ信号を増幅し、出力部２に接続されているフロントレフトチャンネルスピーカ（以下、「ＦＬスピーカ」という。）７ａ、フロントライトチャンネルスピーカ（以下、「ＦＲスピーカ」という。）７ｂ、センターチャンネルスピーカ（以下、「Ｃスピーカ」という。）７ｃ、サラウンドレフトチャンネルスピーカ（以下、「ＳＬスピーカ」という。）７ｄ、サラウンドライトチャンネルスピーカ（以下、「ＳＲスピーカ」という。）７ｅ、サブウーハーチャンネルスピーカ（以下、「ＳＷスピーカ」という。）７ｆにそれぞれ出力する。
【００２５】
出力部２は、制御部６の制御により、自動音場補正処理の時、或いは、自動音場補正処理後に聴取者が操作部５を用いて周波数特性の変更を行う時に、測定用信号発生部３が発生した測定用信号を各チャンネルのスピーカ７ａ〜７ｆに出力する。
【００２６】
測定用信号発生部３は、制御部６の制御により、自動音場補正処理において音響特性の各種パラメータの値の自動設定を行う際に、各種パラメータの値を測定するための測定用信号を発生する。測定用信号は、可聴帯域より広い周波数帯域を有する信号であり、例えばホワイトノイズなどである。
【００２７】
収音信号入力部４は、制御部６の制御により、自動音場補正処理時に、収音信号入力部４に接続されているマイクロフォン８から入力される収音信号を入力し、信号処理部１に出力する。
【００２８】
操作部５は、自動音場測定処理のオン・オフの切り換えのための操作ボタン、測定用信号を出力するための操作ボタン、音響特性の各種パラメータの設定を入力又は変更するための操作ボタン等を備える。操作部５は、聴取者が操作ボタンを押下すると押下された操作ボタンに対応する指示信号を制御部６に出力する。
【００２９】
制御部６は、増幅装置全体を総合的に制御する。制御部６は、信号処理部１において、外部機器から入力されるオーディオ信号に対しデコード処理や遅延処理等を施し、出力部２からオーディオ信号を出力させる制御を行う。
【００３０】
制御部６は、操作部５から自動音場補正処理のオンの指示信号が入力された場合、測定用信号発生部３に測定用信号を発生させ、当該測定用信号を信号処理部１を介して出力部２から各スピーカに出力させる制御を行う。そして、制御部６は、収音信号入力部４から入力される収音信号に基づいて、信号処理部１に音響特性の各種パラメータの値を演算により求めさせ、求めた値をメモリ１ａに記憶させ、その値を音響特性の各種パラメータの値として設定させる制御を行う。
【００３１】
自動音場補正処理について説明する。
図１に示すように６本のスピーカ７ａ〜７ｆを備えるホームシアターシステムなどのようなマルチチャンネル再生システムでは、部屋の音響特性、使用するスピーカの周波数特性、各チャンネルの位相特性、スピーカからオーディオ信号を出力し聴取者がオーディオ信号を聴取するまでの伝送経路の伝達特性、使用するスピーカの種類や数、スピーカの設置位置、リスニングポイントと各スピーカとの配置などにより、リスニングポイントにおいて各チャンネルのスピーカ７ａ〜７ｆから届くオーディオ信号の位相、ロールオフ周波数、音圧レベル、距離、周波数特性が変わってくるため、聴取者が同じ音源のオーディオ信号を聴取する場合であっても、前記の特性等の違いにより音色、音場、臨場感などが異なって聞こえる。
【００３２】
外部機器で再生され増幅装置に入力されるオーディオ信号は、当該オーディオ信号を聴取する環境が適切な環境であることを前提としている。例えば、各チャンネルの出力信号の音圧レベルが等しく、各スピーカ７ａ〜７ｆ間の距離、各スピーカの周波数特性が適正であり、スピーカ構成として適切な種類のスピーカが用いられている環境で聴取することを前提としていため、当該増幅装置から出力されるオーディオ信号を最適な音で再現するためには、適切な環境を整備しなければならない。
【００３３】
このような環境を実現するため、従来の増幅装置は、音場補正機能を搭載し、聴取者がオーディオ信号の聴取前に、スピーカ構成、スピーカサイズ、スピーカ間の距離、各チャンネルの出力信号の音圧レベル、各チャンネルの出力信号の周波数特性などの値を操作部を用いて入力し、適切な環境になるように音場補正を行っていた。
【００３４】
しかし、これらの音場補正の作業は、熟練者でないと適切な値を設定することが難しく、多くの手間と時間を要する面倒なものであった。そこで、従来の増幅装置には、前述した音場補正を自動で行う自動音場補正機能を備えられたものがあり、本第１実施例の増幅装置も自動音場補正機能を備えている。この機能により、音場補正が、聴取者にとって簡単な操作ですみ、高い精度で各種パラメータの値の設定ができる。
【００３５】
第１実施例の増幅装置における自動音場補正処理について具体的に説明する。
自動音場補正処理は、測定処理と補正処理とから成り、最初に測定処理が実行される。
測定処理は、リスニングポイントにおける現在の音響特性を測定する処理である。その処理のため、図１に示すように配置されたスピーカ７ａ〜７ｆに対し、リスニングポイントに測定用のマイクロフォン８を配置する。
【００３６】
測定処理では、制御部６は、測定用信号発生部３に測定用信号を発生させ、信号処理部１を介し測定用信号を出力部２から各スピーカ７ａ〜７ｆに順番に出力させる。各スピーカ７ａ〜７ｆから出力された測定用信号をマイクロフォン８で収音する。マイクロフォン８から出力された収音信号は、収音信号入力部４に入力され、信号処理部１に入力される。信号処理部１は、測定用信号と収音信号とに基づいてインパルス応答を演算により求める。増幅装置から出力された信号が各スピーカ７ａ〜７ｆから出力され、その信号がマイクロフォン８で収音されるまでの伝達特性が、ここで得られたインパルス応答に対応する。
【００３７】
このインパルス応答に基づいて、各チャンネルの出力信号の音圧レベルやピークレベル等を観測したり、ＦＦＴ（Fast Fourier Transform）解析することにより、スピーカ構成（スピーカの有無、スピーカサイズ）、スピーカ間の位相関係、各スピーカ間の距離、リスニングポイントに対する各スピーカの距離、各スピーカからの出力信号の音圧レベルや周波数特性が得られる。
【００３８】
そして、補正処理に移行する。
補正処理は、測定処理で得られた測定結果に基づいて、各種パラメータの設定・補正を行う。
【００３９】
信号処理部１は、測定処理で得られた測定結果により、スピーカの有無に基づくスピーカの個数の設定、スピーカ間又はリスニングポイントに対する各スピーカの距離に基づく各チャンネル間の遅延時間の補正、各スピーカの出力信号の音圧レベルに基づく各チャンネル間の出力信号の音圧レベルの差の補正、各スピーカの出力信号の周波数特性に基づく各チャンネルの出力信号の周波数特性の補正などをするための係数を演算により求める。
【００４０】
演算により求めた係数は、メモリ１ａに記憶され、外部機器から入力されるオーディオ信号を出力する際には、メモリ１ａに記憶された係数を用いて当該オーディオ信号に対する周波数特性の補正、位相の補正、音圧レベルの補正、遅延時間の付加等の信号処理が行われ出力される。
【００４１】
ここで、周波数特性の補正について説明する。
信号処理部１は、予め複数の目標周波数特性を示す情報（目標周波数特性を示す値）を備えており、これらの目標周波数特性は、自動音場補正処理の測定処理の前までに聴取者が操作部５を用いて選択することが可能である。補正処理では、測定結果から得られた周波数特性を目標周波数特性に一致するように補正するための周波数特性補正値を求め、測定結果から得られた周波数特性に対して当該周波数特性補正値を用いて演算をすることにより、聴取者が希望する目標周波数特性を有するオーディオ信号を出力することができる。
【００４２】
増幅装置は、演算により求めた値を信号処理部１の各種パラメータ（スピーカのサイズ、スピーカの個数、スピーカ間又はリスニングポイントに対する各スピーカの距離、各チャンネルの遅延時間、各チャンネルの音圧レベル、各チャンネルの周波数特性など）の値として設定し、自動音場補正の結果、どのような設定になっているかを聴取者が確認できるように、増幅装置の表示部（図示せず）或いは増幅装置に接続されているモニタ（図示せず）に表示し、自動音場補正処理は完了する。
【００４３】
次に、自動音場補正処理において自動設定された各種パラメータの値に基づいて聴取者が手動で周波数特性を変更する場合について説明する。
図２は、本発明の第１実施例の増幅装置における周波数特性補正処理の動作を示すフローチャートである。
図３は、Ｃ−ｗｅｉｇｈｔｅｄ特性を説明する図である。
【００４４】
周波数特性を変更すると、均一になるように補正されていたチャンネルと他のチャンネルとの間の出力信号の音圧レベルのバランスが不均一になり、チャンネル間の音圧レベルは、聴取者が音を聴きながら手動で調整しなければならない。この作業は熟練者でも難しいうえに、周波数特性を変更する度にチャンネル間の音圧レベルも調整しなければならず、非常に面倒である。本実施例の増幅装置では、周波数特性を変更しても、そのチャンネルの音圧レベルを変化させることなく一定に保つように常に補正を行う。
【００４５】
まず、聴取者は、周波数特性を変更するチャンネルを選択する。図２において、チャンネルが選択されると、制御部５は、測定用信号発生部３に測定用信号を発生させ、信号処理部１において、演算により、現在設定されている周波数特性に基づいた測定用信号に周波数特性補正値を乗算する（ステップ１）。周波数特性補正値は、自動音場補正処理において、測定により得られた周波数特性を目標周波数特性に合わせるための値である。
【００４６】
また、制御部５は、信号処理部１を制御し、演算により、周波数特性の音圧レベルを求めるための音圧レベル演算値を測定用信号に乗算し、現在設定されている周波数特性の可聴帯域の音圧レベルの平均値を求め（ステップ２）、当該可聴帯域の音圧レベルの平均値を周波数特性の変更前の値としてメモリに記憶させる（ステップ３）。
【００４７】
音圧レベル演算値は、人間の可聴帯域（例えば、２０Ｈｚ〜２０ＫＨｚ）を特定するための値であり、例えば、図３に示すＣ−ｗｅｉｇｈｔｅｄ特性を示す値である。このＣ−ｗｅｉｇｈｔｅｄ特性は、人間の可聴帯域の周波数帯域で信号レベルが平坦な特性であり、可聴帯域外の周波数帯域では信号レベルが減衰する特性である。測定用信号をＣ−ｗｅｉｇｈｔｅｄ特性の音圧レベル演算値を用いて音圧レベルを演算することにより、人間の可聴帯域での音圧レベルの値を得ることができる。
【００４８】
制御部６は、聴取者が操作部５を用いて当該チャンネルの周波数特性を変更する指示をしたか否かを、操作部５から指示信号が入力したか否かにより検出する（ステップ４）。制御部６は、操作部５から周波数特性を変更したことを示す指示信号が入力された場合（ステップ４）、ステップ７に移行し、操作部５から周波数特性を変更したことを示す指示信号の入力がない場合、聴取者が周波数特性の変更のため操作部５を用いて測定用信号を出力する操作を行ったか否かを、操作部５から入力される指示信号により監視する（ステップ５）。
【００４９】
制御部６は、操作部５から測定用信号出力の指示信号の入力がない場合（ステップ５）、ステップ４に戻り、ステップ４及びステップ５を繰り返し行う。制御部６は、操作部５から測定用信号出力の指示信号が入力されると（ステップ５）、当該指示信号に基づいて信号処理部１から周波数特性補正値を用いて演算した測定用信号を出力部２を介して周波数特性変更のために選択されたスピーカから出力させる（ステップ６）。
【００５０】
聴取者は、スピーカから出力された測定用信号を聴取し、操作部５を用いて当該チャンネルの周波数特性を変更する。制御部６は、操作部５から周波数特性を変更したことを示す指示信号が入力されると、信号処理部１を制御し、変更された周波数特性に基づいて周波数特性補正値を変更する（ステップ７）。
【００５１】
また、制御部６は、操作部５から入力される周波数特性を変更したことを示す指示信号に基づいて、変更した周波数特性補正値を測定用信号に乗算し、当該測定用信号に対し、さらに音圧レベル演算値を乗算し、当該周波数特性の可聴帯域における音圧レベルの平均値を求める（ステップ８）。
【００５２】
そして、制御部６は、信号処理部１を制御し、演算により求めた周波数特性変更後の周波数特性の可聴帯域の音圧レベルの平均値と、メモリに記憶しておいた周波数特性変更前の周波数特性の可聴帯域の音圧レベルの平均値との差分を求め、周波数特性の変更前と変更後の可聴帯域の音圧レベルの差分を打ち消すように、そのチャンネル全体の音圧レベルの補正を行う（ステップ９）。
【００５３】
制御部６は、補正した音圧レベルを変更後の周波数特性の音圧レベルとしてメモリに記憶する（ステップ１０）。
【００５４】
そして、次の周波数特性の変更が行われたか否かを監視し（ステップ１１）、次の周波数特性の変更５が行われた場合、ステップ１からの処理を繰り返し行い、周波数特性の変更が行われない場合には、周波数特性補正処理を終了する。このように周波数特性の変更と共に、その都度リアルタイムに音圧レベルの補正を行う。
【００５５】
ここで、周波数特性補正処理において音圧レベルを補正する処理（音圧レベル補正処理）について説明する。
図４は、本発明の第１実施例の増幅装置における音圧レベル補正処理を説明する図である。
測定用信号は、図４（ａ）に示すようなホワイトノイズ等であり、可聴帯域外の周波数成分を含む信号である。自動音場補正処理においては、スピーカの周波数特性等を測定するうえで、どのような周波数特性（オーディオ信号の出力が可能な帯域、その信号レベルを示す特性）を持つスピーカであるかを測定するため、測定用信号として可聴帯域外の周波数成分の信号も必要となる。この測定用信号を用いて測定された結果、当該スピーカの周波数特性が、一例として図４（ｂ）に示すような周波数特性Ａを有している場合について説明する。
【００５６】
図４（ｂ）に示すスピーカの周波数特性は、可聴帯域内では信号レベルが平坦であり、可聴帯域以外の周波数帯域で信号レベルが減衰する特性を有している。自動音場補正処理においては、周波数特性の音圧レベルを演算する場合、測定用信号の全周波数帯域の信号レベルを対象として音圧レベルを演算により求めるため、可聴帯域外の周波数帯域も含まれた音圧レベルが演算される。
【００５７】
図４（ｂ）に示す周波数特性Ａにおいては、可聴帯域外の周波数帯域の信号レベルが可聴帯域の周波数特性の信号レベルより減衰する特性を有するため、周波数帯域Ａ全体の音圧レベルの平均値は、可聴帯域において信号レベルが平坦な部分より低くくなる。この周波数特性Ａは、周波数特性の変更前の特性であり、演算により求めた当該周波数特性Ａの全周波数帯域の音圧レベルの平均値を基準平均値とする。
【００５８】
次に、聴取者により周波数特性の変更が行われ、図４（ｂ）に示す周波数特性Ａから図４（ｃ）に示す周波数特性Ａ’に変更された場合を例に説明する。図４（ｃ）に示すような周波数特性Ａ’に変更された場合、周波数特性Ａ’の全周波数帯域の音圧レベルの平均値を演算により求めると、周波数特性Ａ’の全周波数帯域の音圧レベルの平均値が基準平均値に対して変化する場合がある。ここで、周波数特性Ａ’の全周波数帯域の音圧レベルの平均値は、基準平均値より高いものとする。
【００５９】
そして、周波数特性Ａ’の全周波数帯域の音圧レベルの平均値が基準平均値となるように音圧レベルの補正を行うと、図４（ｄ）に示すように、周波数特性Ａ’の信号レベルが全体的に低くなる。このため、可聴帯域における周波数特性Ａ’の全周波数帯域の音圧レベルが周波数特性Ａの全周波数帯域の音圧レベルより低くなり、聴感上、周波数特性の変更後のオーディオ信号の音圧レベルが低くなる。
【００６０】
そうすると、周波数特性Ａの全周波数帯域の音圧レベルの平均値（基準平均値）を用いて、周波数特性Ａ’の全周波数帯域の音圧レベルを周波数特性Ａの音圧レベルに一致するように演算し、演算により求めた結果に基づいて音圧レベルを設定した場合、演算上では周波数特性の変更前と変更後の音圧レベルは一致するが、聴取者の聴感上では可聴帯域の音圧レベルが周波数特性の変更前の音圧レベルより低くなる。このような場合、聴取者が周波数特性を変更した際に、変更した周波数特性が希望する周波数特性に変更されているか正確に判断することが困難になる。
【００６１】
第１実施例の増幅装置における音圧レベル補正処理においては、まず、周波数特性の変更前に、演算により、図４（ｅ）に示す特性の音圧レベル演算値を用いて、図４（ｆ）に示すように周波数特性Ａの可聴帯域の音圧レベルの平均値（基準平均値）を求める。次に、周波数特性の変更後に、図４（ｅ）に示す特性の音圧レベル演算値を用いて、図４（ｇ）に示すように周波数特性Ａ’の可聴帯域の音圧レベルの平均値を求める。
【００６２】
そして、図４（ｈ）に示すように、演算により求めた周波数特性Ａの可聴帯域の音圧レベルの基準平均値に、周波数特性Ａ’の可聴帯域の音圧レベルの平均値が一致するように補正する。このことにより、聴取者には、聴感上の音圧レベルが周波数特性の変更前と変更後で変わらない音圧レベルで聞こえ、聴取者は周波数特性の変更が希望する周波数特性に変更されているかを正確に判断することができる。
【００６３】
以上のように、第１実施例によれば、自動音場補正処理で音響特性の各種パラメータが自動設定された後に聴取者が手動により周波数特性の変更を行った場合でも、周波数特性が変更されたチャンネルの周波数特性を可聴帯域において常に一定の音圧レベルに補正するため、聴取者は常に一定の音圧レベルで周波数特性の変化を確認できる。周波数特性を変更しても、そのチャンネルの音圧レベルを変化させることなく自動的に一定の音圧レベルに維持させることができるので、周波数特性を変更する毎に聴取者がチャンネル間の音圧レベルを調整しなくてもすむ。
【００６４】
第１実施例では、音圧レベルを演算する際にＣ−ｗｅｉｇｈｔｅｄ特性の音圧レベル演算値を用いて演算しているが、それだけに限定されず、可聴帯域の信号を抽出する特性の値を用いてもよい。
【００６５】
また、自動音場補正処理により得たスピーカの周波数特性も考慮してスピーカから出力された出力信号の周波数特性の音圧レベルの演算を行うようにし、音圧レベルの補正を行うようにしてもよい。
【００６６】
第２実施例として、スピーカの周波数特性も考慮してスピーカから出力された出力信号の周波数特性の音圧レベルの演算を行う音圧レベル補正処理を説明する。第２実施例の増幅装置において、装置の構成は第１実施例と同じであるため詳細な説明を省略し、第１実施例と異なる処理を行う音圧レベル補正処理について説明する。
【００６７】
図５は、本発明の第２実施例の増幅装置においてスピーカの周波数特性に対応した音圧レベル補正処理を説明するための図である。
前述した図４（ｂ）に示すようなスピーカの周波数特性は、可聴帯域において信号レベルが平坦な周波数特性を有しているが、例えば、高音専用スピーカなどは可聴帯域内の低い周波数から信号レベルが増加し、可聴帯域の途中の周波数から高い周波数に向かって信号レベルが平坦になる周波数特性を有するため、当該スピーカから図４（ａ）に示す測定用信号を出力した場合、その周波数特性は図５（ａ）に示すような周波数特性Ｃとなる。
【００６８】
図５（ａ）に示す周波数特性Ｃを有するスピーカに対し、図５（ｂ）に示す特性の音圧レベル演算値を用いた演算により周波数特性Ｃの可聴帯域の音圧レベルの平均値を求めると、図５（ｃ）に示すような平均値（基準平均値）となり、可聴帯域において周波数特性Ｃの音圧レベルの平均値が当該周波数特性Ｃの平坦な部分の信号レベルより低くなる。これは、当該周波数特性Ｃは、可聴帯域内に信号レベルの低い帯域が存在するため、可聴帯域内の音圧エネルギーのうち図５（ｃ）中の斜線部分に示す部分に相当する音圧エネルギーが少なくなり、その結果、可聴帯域内の音圧レベルの平均値も低くなる。
【００６９】
周波数特性の変更後に、周波数特性Ｃ’の可聴帯域の音圧レベルの平均値を求めた場合、図５（ｄ）に示すような平均値となる。周波数特性Ｃ’の可聴帯域の音圧レベルの平均値が基準平均値に一致するように音圧レベルの補正を行った場合、図５（ｅ）に示すように、可聴帯域内において、周波数特性Ｃ’の音圧レベルの平坦な部分が周波数特性Ｃの音圧レベルの平坦な部分より低くなる。このため、図５（ａ）に示す周波数特性Ｃを有するスピーカからの出力信号の周波数特性を聴取者が手動により変更した場合、前述した音圧レベル補正処理を行っても、周波数特性の変更前と変更後で聴感上の音圧レベルに差が生じることがある。
【００７０】
この対策として、スピーカの周波数特性が可聴帯域内において信号レベルが極端に低い周波数帯域が存在する周波数特性の場合、音圧レベルの演算を行う周波数帯域を可聴帯域より更に狭い帯域に設定し、音圧レベルの演算を行い、周波数特性の変更前と変更後の音圧レベルが一致するように補正する。
【００７１】
増幅装置は、前述した自動音場補正処理により各スピーカの周波数特性を得ることができる。制御部６は、当該周波数特性を観察し、可聴帯域内において信号レベルが極端に低い周波数帯域が存在するスピーカを検出する。信号レベルが極端に低い周波数帯域とは、例えば、当該周波数特性の可聴帯域のピークレベルに対し予め定めた閾値（例えば、５０％）以下の信号レベルの周波数帯域である。
【００７２】
一般に、フロント、センター、リア等に用いられるスピーカは、可聴帯域で信号レベルが極端に低い周波数帯域が存在しない。一方、低音専用のザブウーハーやツイーターのみからなる高音専用スピーカなどの特殊スピーカの場合には、可聴帯域内の高い周波数或いは低い周波数において信号レベルが低い部分が存在する。低い周波数成分の信号レベルの変化は、人間の聴感上知覚されにくいため、低い周波数帯域において周波数特性の変化に伴う音圧レベルの変化も知覚されにくい。第２実施例では、高音専用スピーカを例にあげて説明する。
【００７３】
自動音場補正処理により各スピーカの周波数特性を取得した結果、可聴帯域内において信号レベルが低い部分が存在する周波数特性を有するスピーカが存在する場合、制御部６は、当該スピーカの周波数特性（図５（ａ）に示す周波数特性Ｃ）から、図５（ｆ）に示すように、当該周波数特性のピークレベルから５０％の信号レベルであり、且つ、最も低い周波数を検出し、当該周波数を演算閾値周波数として設定する。
【００７４】
制御部６は、信号処理部１を制御して演算により、図５（ｆ）に示すように、周波数特性Ｃの可聴帯域内において演算閾値周波数より高い周波数帯域における音圧レベルの平均値（基準平均値）を求める。この基準平均値を周波数特性Ｃの変更前の音圧レベルの平均値としてメモリに記憶する。
【００７５】
聴取者が手動により図５（ｇ）に示すような周波数特性Ｃ’に変更した場合、制御部６は、変更後の周波数特性Ｃ’に基づいて、前述したように可聴帯域内において演算閾値周波数より高い周波数帯域における音圧レベルの平均値を演算により求める。
【００７６】
そして、図５（ｈ）に示すように、周波数特性Ｃ’において可聴帯域内の演算閾値周波数より高い周波数帯域における音圧レベルの平均値が基準平均値と一致するように音圧レベルを補正する。このことにより、可聴帯域内において周波数特性の変更前と変更後の音圧レベルに差が生じないため、聴感上の音圧レベルも差がなくなる。
【００７７】
このように、可聴帯域内において信号レベルが極端に低い周波数帯域が存在するスピーカであっても、聴取者の手動による周波数特性を変更した場合に、周波数特性の変更前と変更後の音圧レベルの差がなくなるように音圧レベルを補正するため、聴取者には聴感上、周波数特性の変更前と変更後の音圧レベルが変わらず聞こえ、聴取者は聴取者が希望する周波数特性に変更されたか否かを簡単に判断することができ、より正確に周波数特性の変更を行うことができる。
【００７８】
前述した第１実施例及び第２実施例では、スピーカの周波数特性も考慮して周波数特性を変更した場合であっても周波数特性の変更前と変更後の音圧レベルが常に一定の音圧レベルになるようにしたが、更に増幅装置に接続されるスピーカの種類に応じて周波数帯域が制限された出力信号が各スピーカに供給される場合に、スピーカの種類に応じて制限される周波数帯域に基づいて周波数特性を変更した場合に、周波数特性の変更前と変更後の音圧レベルが常に一定の音圧レベルになるように音圧レベルを補正するようにしてもよい。
【００７９】
マルチチャンネルオーディオ信号を再生するシステムにおいて、増幅装置に接続されるスピーカの全てが同じ周波数特性を有してない場合がある。例えば、フロントスピーカとして１０Ｈｚ〜３０ｋＨｚの範囲で平坦な周波数特性を有するスピーカが接続され、サラウンドスピーカとして３０Ｈｚ〜３０ｋＨｚの範囲で平坦な周波数特性を有するスピーカが接続される場合がある。一般的に、スピーカ自体が小さい場合、低い周波数帯域の信号が出力されにくい。マルチチャンネルオーディオ信号再生システムにおいて、リスニングルームが狭い場合は、リスニングポイントの後方に配置されるサラウンドスピーカに小型スピーカを用いることが多い。
【００８０】
このため、接続されているスピーカの大きさ或いは測定した周波数特性から低い周波数帯域の信号が出力されにくいスピーカ（すなわち、小型スピーカ）に対しては、当該スピーカに供給する信号から低周波数帯域の信号を除去し、除去した信号を小型スピーカに供給し、除去した低周波数帯域の信号成分を他の広帯域の周波数特性を有するスピーカから出力する機能（バスマネージメント機能）がある。
【００８１】
この機能は、小型スピーカに供給する信号から低周波数帯域を除去することにより、小型スピーカから出力される低い周波数帯域の信号成分と、他の広帯域の周波数特性を有するスピーカから出力される本来小型スピーカから出力されるべき低周波数帯域の信号成分とが重複して出力され、低周波数帯域の信号成分の音圧レベルが増加し、各スピーカから出力される信号の音圧レベルのバランスがくずれることを防止している。
【００８２】
当該バスマネージメント機能は、増幅装置に小型スピーカが接続されているか否かを、ユーザにより入力される各スピーカの大小の設定、または、測定により得た各スピーカの周波数特性により、スピーカが低い周波数帯域の信号成分を出力できるか否かを判別する。そして、低い周波数帯域の信号成分を出力できないスピーカがある場合には、当該スピーカに供給する信号をハイパスフィルタを通過させて低い周波数成分を除去し、高い周波数成分の信号を当該スピーカに出力する。
【００８３】
第３実施例として、当該バスマネージメント機能が動作しているときに、周波数特性を変更した場合であっても周波数特性の変更前と変更後の音圧レベルが常に一定の音圧レベルになるように補正することができる音圧レベル補正処理について説明する。第３実施例の増幅装置において、装置の構成は第１実施例と同じであるため詳細な説明を省略し、第１実施例及び第２実施例と異なる処理を行う音圧レベル補正処理について説明する。
【００８４】
図６は、本発明の第３実施例の増幅装置のバスマネージメント機能におけるスピーカの周波数特性に対応した音圧レベル補正処理を説明するための図である。
増幅装置に接続された複数のスピーカのうち、一部のスピーカの周波数特性が前述した図５（ｃ）に示す周波数特性Ｃを有する場合、すなわち、小型スピーカであり、可聴帯域内の低い周波数から信号レベルが増加し、可聴帯域の途中の周波数から高い周波数に向かって信号レベルが平坦になる周波数特性を有するスピーカである場合、前述したバスマネージメント機能が動作する。
【００８５】
バスマネージメント機能が動作する場合、増幅装置から出力されるオーディオ信号は、図６（ａ）に示すような特性のハイパスフィルタを通過する。このため、増幅装置からスピーカに供給される信号の周波数特性は、ハイパスフィルタにより低域の周波数成分が除去された周波数特性となる。すなわち、図６（ａ）に示すような低域から高域まで周波数特性が平坦な測定用信号をスピーカから出力した場合、マイクロフォンにより収音される当該スピーカの周波数特性は、図６（ｂ）に示すような周波数特性Ｄとなる。
【００８６】
小型スピーカから出力された図６（ｂ）に示す周波数特性Ｄに対し、図５（ｂ）に示す特性を用い、可聴帯域内において音圧レベル演算値を用いた演算により周波数特性Ｄの可聴帯域の音圧レベルの平均値を求めると、図６（ｃ）に示すような基準平均値となる。可聴帯域において周波数特性Ｄの音圧レベルの基準平均値が当該周波数特性Ｄの平坦な部分の信号レベルより低くなる。これは、当該周波数特性Ｄは、可聴帯域内に信号レベルの低い帯域が存在するため、可聴帯域内の音圧エネルギーのうち図６（ｃ）中の斜線部分に示す部分に相当する音圧エネルギーが少なくなり、その結果、可聴帯域内の音圧レベルの平均値が低くなる。
【００８７】
周波数特性を変更した周波数特性Ｄ’に対し、可聴帯域の音圧レベルの平均値を求めた場合、図６（ｄ）に示すような平均値となる。周波数特性Ｄ’の可聴帯域の音圧レベルの平均値が基準平均値に一致するように音圧レベルの補正を行った場合、図６（ｅ）に示すように、可聴帯域内において、周波数特性Ｄ’の音圧レベルの平坦な部分が周波数特性Ｄの音圧レベルの平坦な部分より低くなる。このため、小型スピーカから出力される図６（ｂ）に示す周波数特性Ｄに対して聴取者が手動により周波数特性を変更した場合、前述した音圧レベル補正処理を行っても、周波数特性の変更前と変更後で聴感上の音圧レベルに差が生じることがある。
【００８８】
この対策として、増幅装置に接続された複数のスピーカのうち、一部のスピーカに供給される信号がハイパスフィルタにより可聴帯域内において低い周波数帯域が除去された信号である場合、音圧レベルの演算を行う周波数帯域をハイパスフィルタのカットオフ周波数より高い周波数帯域に設定し、音圧レベルの演算を行い、周波数特性の変更前と変更後の音圧レベルが一致するように補正する。
【００８９】
増幅装置において、制御部６は、聴取者の操作によりスピーカの大きさが設定され、その設定により複数のスピーカのうち一部のスピーカが小型スピーカであると判断すると、または、前述した測定処理により複数のスピーカのうち一部のスピーカが小型スピーカであると判断すると、バスマネージメント機能を動作させる。バスマネージメント機能が動作することにより、小型スピーカに供給される信号は、ハイパスフィルタを通過し、低域の周波数成分が除去された信号となる。
【００９０】
自動音場補正処理により各スピーカの周波数特性を取得した結果、小型スピーカが接続されバスマネージメント機能が動作する場合、制御部６は、ハイパスフィルタのカットオフ周波数を検出し、図６（ｆ）に示すように、当該カツトオフ周波数を演算閾値周波数として設定する。
【００９１】
制御部６は、信号処理部１を制御して演算により、図６（ｆ）に示すように、周波数特性Ｄの可聴帯域内において演算閾値周波数より高い周波数帯域における音圧レベルの平均値（基準平均値）を求める。この基準平均値を周波数特性Ｄの変更前の音圧レベルの平均値としてメモリに記憶する。
【００９２】
聴取者が手動によりスピーカから出力される周波数特性を図６（ｇ）に示すような周波数特性Ｄ’に変更した場合、制御部６は、変更後の周波数特性Ｄ’に基づいて、前述したように可聴帯域内において演算閾値周波数より高い周波数帯域における音圧レベルの平均値を演算により求める。
【００９３】
そして、図６（ｈ）に示すように、周波数特性Ｄ’において可聴帯域内の演算閾値周波数より高い周波数帯域における音圧レベルの平均値が基準平均値と一致するように音圧レベルを補正する。このことにより、可聴帯域内において周波数特性の変更前と変更後の音圧レベルに差が生じないため、聴感上の音圧レベルも差がなくなる。
【００９４】
このように、増幅装置に接続される複数のスピーカのうちの一部が小型スピーカであり、増幅装置においてバスマネージメント機能が動作する場合であっても、バスマネージメント機能などの周波数帯域を制限するためのフィルタの周波数特性を掛け合わせた特性を用いて、聴取者の手動による周波数特性を変更しても周波数特性の変更前と変更後の音圧レベルの差がなくなるように音圧レベルを補正する。このため、聴取者には聴感上、周波数特性の変更前と変更後の音圧レベルが変わらず聞こえ、聴取者は聴取者が希望する周波数特性に変更されたか否かを簡単に判断することができ、より正確に周波数特性の変更を行うことができる。
【００９５】
また、周波数特性の変更による音圧レベルの差が発生するための演算処理を、ハイパスフィルタによる帯域制限された周波数帯域（すなわち、ハイパスフィルタのカットオフ周波数より高い周波数帯域）に対して行うため、ユーザがハイパスフィルタにより除去される周波数帯域を調整した場合でも、その調整による演算処理への影響を無くすることができる。したがって、周波数特性の変更に伴う音圧レベルの変化がなく、ユーザがスピーカから出力されるオーディオ信号の周波数特性を希望する周波数特性に調整することができる。
【００９６】
以上のように、本実施例によれば、自動音場補正処理で音響特性の各種パラメータが自動設定された後に聴取者が手動により周波数特性の変更を行った場合でも、周波数特性が変更されたチャンネルの周波数特性を人間の聴感において常に一定の音圧レベルに補正する。このため、聴取者は常に一定の音圧レベルで周波数特性の変化を確認でき、より正確に周波数特性の変更を行うことができる。周波数特性を変更しても、そのチャンネルの音圧レベルを変化させることなく自動的に一定の音圧レベルに維持させることができるので、周波数特性を変更するたびに聴取者がチャンネル間の音圧レベルを調整しなくてもすむ。
【００９７】
前述した実施例では、複数のチャンネルのオーディオ信号を出力する増幅装置の周波数特性補正処理として説明したが、それに限定されることない。１チャンネル（すなわちモノラル）以上のオーディオ信号に対する周波数特性の調整の場合に、周波数特性の変更前と変更後で音圧レベルが一定の音圧レベルになるように補正することができる。
【００９８】
すなわち、常に現時点での周波数特性における音圧レベルを前述した音圧レベル補正処理のように音圧レベル演算値を用いて演算により求め、演算により求めた音圧レベルをメモリに記憶し、聴取者により周波数特性の変更が行われた場合、変更後の周波数特性における音圧レベルを音圧レベル演算値を用いて演算により求め、周波数特性の変更前と変更後の音圧レベルが同じ音圧レベルになるように補正するようにしてもよい。
【００９９】
このことにより、周波数特性を変更した場合であっても、周波数特性の変更前と変更後の音圧レベルが常に一定の音圧レベルであるため、聴取者が希望する周波数特性に変更されたか否かを簡単に判断することができ、より正確に周波数特性の変更を行うことができる。
【０１００】
本発明は、増幅装置として説明したが、オーディオ信号の周波数特性を調整する装置であるイコライザーにも用いることができる。この場合、イコライザーは、現時点で設定されている周波数特性及び当該周波数特性における音圧レベルをメモリに記憶し、聴取者により周波数特性の変更がされる毎に、変更された周波数特性における音圧レベルを求め、周波数特性変更後の周波数特性の音圧レベルが周波数特性変更前の周波数特性の音圧レベルに一致するように補正し、変更された周波数特性と補正後の音圧レベルをメモリに記憶する。
【図面の簡単な説明】
【０１０１】
【図１】本発明の増幅装置の第１実施例の構成を示す図。
【図２】本発明の第１実施例の増幅装置における周波数特性補正処理の動作を示すフローチャート。
【図３】Ｃ−ｗｅｉｇｈｔｅｄ特性を説明する図。
【図４】本発明の第１実施例の増幅装置における音圧レベル補正処理を説明する図。
【図５】本発明の第２実施例の増幅装置においてスピーカの周波数特性に対応した音圧レベル補正処理を説明するための図。
【図６】本発明の第３実施例である増幅装置のバスマネージメント機能におけるスピーカの周波数特性に対応した音圧レベル補正処理を説明するための図。
【符号の説明】
【０１０２】
１・・・信号処理部、１ａ・・・メモリ、２・・・出力部、３・・・測定用信号発生部、４・・・収音信号入力部、５・・・操作部、６・・・制御部、７・・・スピーカ、７ａ・・・ＦＬスピーカ、７ｂ・・・ＦＲスピーカ、７ｃ・・・Ｃスピーカ、７ｄ・・・ＳＬスピーカ、７ｅ・・・ＳＲスピーカ、７ｆ・・・ＳＷスピーカ、８・・・マイクロフォン。
【図１】
2005318521.tif 000003
【図２】
2005318521.tif 000004
【図３】
2005318521.tif 000005
【図４】
2005318521.tif 000006
【図５】
2005318521.tif 000007
【図６】
2005318521.tif 000008